(57)【要約】      （修正有）【課題】背景色を除いたマテリアルの画像を生成するようにした画像処理装置を提供する。【解決手段】画像処理装置の取得モジュール１０５は、同じマテリアルに対して背景を変更した画像を複数取得する。マテリアル画像生成モジュール１１０は、前記複数の画像を用いて、背景色を除いた前記マテリアルの画像を生成する。画像生成モジュール１１５は、マテリアル画像生成モジュール１１０によって生成されたマテリアルの画像と任意の背景の画像を組み合わせた画像を生成する。出力モジュール１２０は、画像生成モジュール１１５によって生成された画像を受け取り、その画像を出力する。【選択図】図１
2018136654.tif 000002
【特許請求の範囲】
【請求項１】
同じマテリアルに対して背景を変更した画像を複数取得する取得手段と、
前記複数の画像を用いて、背景色を除いた前記マテリアルの画像を生成する第１の生成手段
を備える画像処理装置。
【請求項２】
前記第１の生成手段によって生成された前記マテリアルの画像と任意の背景の画像を組み合わせた画像を生成する第２の生成手段
をさらに有する請求項１に記載の画像処理装置。
【請求項３】
前記第２の生成手段は、背景の画像として、背景を含まない背景色又は黒近傍の背景色とした画像を用いる、
請求項２に記載の画像処理装置。
【請求項４】
前記第２の生成手段は、背景の画像として白近傍の背景色とした画像を用い、表示装置に対する表示用の画像を生成する、
請求項２に記載の画像処理装置。
【請求項５】
前記第２の生成手段は、少なくとも一方向の光源を当てて陰影をつけた画像を生成する、
請求項２から４のいずれか一項に記載の画像処理装置。
【請求項６】
背景の色と該背景とマテリアルを重ねた場合の色の関係を記述する色変換係数を生成する色変換係数生成手段と、
画像を構成する色データにその色変換係数を適用して、前記背景に前記マテリアルを重ねた色データを生成する色変換手段
を備える画像処理装置。
【請求項７】
前記色変換手段は、画像の統計的データに前記色変換係数を適用して、前記背景に前記マテリアルを重ねた色データの統計的データを生成する、
請求項６に記載の画像処理装置。
【請求項８】
コンテンツを示すデータ、マテリアルを示すデータ、及び背景を示すデータを組み合わせて、該背景の該マテリアルに該コンテンツを記載した画像の色を操作する色操作手段
を備える画像処理装置。
【請求項９】
前記色操作手段は、コンテンツを示すデータ、マテリアルを示すデータ、及び、背景を示す色データの順、又は、表面のコンテンツを示すデータ、表面のマテリアルを示すデータ、裏面のマテリアルを示すデータ、裏面のコンテンツを示すデータ、及び、背景を示す色データの順の組み合わせを扱う、
請求項８に記載の画像処理装置。
【請求項１０】
前記色操作手段によって組み合わせた色データからなる画像データの周辺の色は、背景色とは異なる色、又は、無彩色である、
請求項８又は９に記載の画像処理装置。
【請求項１１】
マテリアルを示すデータのみから表面ベクトルデータを生成するベクトル生成手段と、
前記表面ベクトルデータに光源を示すデータを組み合わせた表面反射データと、背景色に応じて生成したマテリアルの色を示すデータを統合する色データ統合手段
を備える画像処理装置。
【請求項１２】
前記色データ統合手段は、前記表面ベクトルデータを用いて前記マテリアル上にあるコンテンツを推定した表面形状を適用した画像データに対して、前記表面反射データと、前記マテリアルの色を示すデータを統合する、
請求項１１に記載の画像処理装置。
【請求項１３】
マテリアルを示すデータのみから表面ベクトルデータを生成するベクトル生成手段と、
前記表面ベクトルデータに光源を示すデータを組み合わせた表面反射データと、背景色に応じて生成したマテリアルの色を示すデータと該光源を示すデータを組み合わせた内部反射モデルによる内部散乱データを統合する色データ統合手段
を備える画像処理装置。
【請求項１４】
前記色データ統合手段は、前記表面ベクトルデータを用いて前記マテリアル上にあるコンテンツを推定した表面形状を適用した画像データに対して、前記表面反射データと、前記マテリアルの色を示すデータと前記内部散乱データを統合する、
請求項１３に記載の画像処理装置。
【請求項１５】
コンピュータを、
同じマテリアルに対して背景を変更した画像を複数取得する取得手段と、
前記複数の画像を用いて、背景色を除いた前記マテリアルの画像を生成する第１の生成手段
として機能させるための画像処理プログラム。
【請求項１６】
コンピュータを、
背景の色と該背景とマテリアルを重ねた場合の色の関係を記述する色変換係数を生成する色変換係数生成手段と、
画像を構成する色データにその色変換係数を適用して、前記背景に前記マテリアルを重ねた色データを生成する色変換手段
として機能させるための画像処理プログラム。
【請求項１７】
コンピュータを、
コンテンツを示すデータ、マテリアルを示すデータ、及び背景を示すデータを組み合わせて、該背景の該マテリアルに該コンテンツを記載した画像の色を操作する色操作手段
として機能させるための画像処理プログラム。
【請求項１８】
コンピュータを、
マテリアルを示すデータのみから表面ベクトルデータを生成するベクトル生成手段と、
前記表面ベクトルデータに光源を示すデータを組み合わせた表面反射データと、背景色に応じて生成したマテリアルの色を示すデータを統合する色データ統合手段
として機能させるための画像処理プログラム。
【請求項１９】
コンピュータを、
マテリアルを示すデータのみから表面ベクトルデータを生成するベクトル生成手段と、
前記表面ベクトルデータに光源を示すデータを組み合わせた表面反射データと、背景色に応じて生成したマテリアルの色を示すデータと該光源を示すデータを組み合わせた内部反射モデルによる内部散乱データを統合する色データ統合手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、利用時の裏当て材に応じた測色値を算出できるようにすることにより、高精度なカラープロファイルを作成できるようにすることを課題とし、出力デバイスにより記録媒体上に出力された複数のパッチの分光反射率及び分光透過率を取得し、裏当て材の分光反射率を取得し、前記複数のパッチの分光反射率及び分光透過率と、前記裏当て材の分光反射率とから前記複数のパッチの測色値を算出し、前記推定された複数のパッチの測色値から、前記裏当て材に対応する前記出力デバイスのカラープロファイルを作成することが開示されている。
【０００３】
特許文献２には、背景部材の色の切り換えによって変化する画像データの色相を補正することで、原稿の背景色の変更に影響を受けない適正な画像信号を得ることができる画像読取装置を提供することを課題とし、画像読取装置は、原稿の画像を読み取る画像読取部と、画像読取部に対向して配置された２つの色を有する背景部材と、画像読取部によって読み取られた画像データの色相を補正する色補正手段と、背景部材を移動させる移動手段とを備え、背景部材の移動による該背景部材の色の変更に応じて色補正手段の補正量を変更することが開示されている。
【０００４】
特許文献３には、人物などの主被写体を背景から分離して、他の背景と合成して出力する自動撮影装置を提供することを課題とし、背景装置の背景色が白色に設定され、カラーカメラにて撮像された被写界の撮像データが処理装置に入力され、主被写体と背景の部分が判定され、この判定結果の背景色に応じて、適切に主被写体を背景から分離しうるグリーン、ブルー及びマゼンタなどの背景色が決定されて背景装置の背景色が変更され、この背景色にて撮像が行われ処理装置に入力されたカラー画像データから背景部分と主被写体部分とのデータが分離され、主被写体を表す画像データが、他の背景を表す背景画像データに合成され、合成された画像データはプリンタに供給されて合成画像データに応じた合成画像が記録紙に印刷されて出力されることが開示されている。
【先行技術文献】
【特許文献】
【０００５】
【特許文献１】特開２００８−１５４１７５号公報
【特許文献２】特開２００８−２５２３８１号公報
【特許文献３】特開平１０−２５７５１８号公報
【発明の概要】
【発明が解決しようとする課題】
【０００６】
文書等の画像をキャプチャする場合、３つの要素からなっている。具体的には、記載されている文字等のコンテンツ（記載内容）、そのコンテンツが記載されている用紙等のマテリアル、そのマテリアルの背景（裏当て）がある。キャプチャの際には、背景の影響がある。一方、コンテンツを生成した場合、実際に利用するマテリアル上でそのコンテンツを反映させた画像を画面上で生成（デジタルで仮生成）したいという要求がある。したがって、マテリアルだけの画像を取得する必要がある。
しかし、マテリアルだけをスキャナで読み込んだとしても、前述したように、スキャナのプラテン等の背景の影響があるマテリアル画像となってしまう。また、スキャナには、一般的に下地除去、裏面の裏写り制御技術等が搭載されているため、背景とともにマテリアル画像も除去されてしまうことになる。
そこで、本発明は、背景色を除いたマテリアルの画像を生成するようにした画像処理装置及び画像処理プログラムを提供することを目的としている。
【課題を解決するための手段】
【０００７】
かかる目的を達成するための本発明の要旨とするところは、次の各項の発明に存する。
請求項１の発明は、同じマテリアルに対して背景を変更した画像を複数取得する取得手段と、前記複数の画像を用いて、背景色を除いた前記マテリアルの画像を生成する第１の生成手段を備える画像処理装置である。
【０００８】
請求項２の発明は、前記第１の生成手段によって生成された前記マテリアルの画像と任意の背景の画像を組み合わせた画像を生成する第２の生成手段をさらに有する請求項１に記載の画像処理装置である。
【０００９】
請求項３の発明は、前記第２の生成手段は、背景の画像として、背景を含まない背景色又は黒近傍の背景色とした画像を用いる、請求項２に記載の画像処理装置である。
【００１０】
請求項４の発明は、前記第２の生成手段は、背景の画像として白近傍の背景色とした画像を用い、表示装置に対する表示用の画像を生成する、請求項２に記載の画像処理装置である。
【００１１】
請求項５の発明は、前記第２の生成手段は、少なくとも一方向の光源を当てて陰影をつけた画像を生成する、請求項２から４のいずれか一項に記載の画像処理装置である。
【００１２】
請求項６の発明は、背景の色と該背景とマテリアルを重ねた場合の色の関係を記述する色変換係数を生成する色変換係数生成手段と、画像を構成する色データにその色変換係数を適用して、前記背景に前記マテリアルを重ねた色データを生成する色変換手段を備える画像処理装置である。
【００１３】
請求項７の発明は、前記色変換手段は、画像の統計的データに前記色変換係数を適用して、前記背景に前記マテリアルを重ねた色データの統計的データを生成する、請求項６に記載の画像処理装置である。
【００１４】
請求項８の発明は、コンテンツを示すデータ、マテリアルを示すデータ、及び背景を示すデータを組み合わせて、該背景の該マテリアルに該コンテンツを記載した画像の色を操作する色操作手段を備える画像処理装置である。
【００１５】
請求項９の発明は、前記色操作手段は、コンテンツを示すデータ、マテリアルを示すデータ、及び、背景を示す色データの順、又は、表面のコンテンツを示すデータ、表面のマテリアルを示すデータ、裏面のマテリアルを示すデータ、裏面のコンテンツを示すデータ、及び、背景を示す色データの順の組み合わせを扱う、請求項８に記載の画像処理装置である。
【００１６】
請求項１０の発明は、前記色操作手段によって組み合わせた色データからなる画像データの周辺の色は、背景色とは異なる色、又は、無彩色である、請求項８又は９に記載の画像処理装置である。
【００１７】
請求項１１の発明は、マテリアルを示すデータのみから表面ベクトルデータを生成するベクトル生成手段と、前記表面ベクトルデータに光源を示すデータを組み合わせた表面反射データと、背景色に応じて生成したマテリアルの色を示すデータを統合する色データ統合手段を備える画像処理装置である。
【００１８】
請求項１２の発明は、前記色データ統合手段は、前記表面ベクトルデータを用いて前記マテリアル上にあるコンテンツを推定した表面形状を適用した画像データに対して、前記表面反射データと、前記マテリアルの色を示すデータを統合する、請求項１１に記載の画像処理装置である。
【００１９】
請求項１３の発明は、マテリアルを示すデータのみから表面ベクトルデータを生成するベクトル生成手段と、前記表面ベクトルデータに光源を示すデータを組み合わせた表面反射データと、背景色に応じて生成したマテリアルの色を示すデータと該光源を示すデータを組み合わせた内部反射モデルによる内部散乱データを統合する色データ統合手段を備える画像処理装置である。
【００２０】
請求項１４の発明は、前記色データ統合手段は、前記表面ベクトルデータを用いて前記マテリアル上にあるコンテンツを推定した表面形状を適用した画像データに対して、前記表面反射データと、前記マテリアルの色を示すデータと前記内部散乱データを統合する、請求項１３に記載の画像処理装置である。
【００２１】
請求項１５の発明は、コンピュータを、同じマテリアルに対して背景を変更した画像を複数取得する取得手段と、前記複数の画像を用いて、背景色を除いた前記マテリアルの画像を生成する第１の生成手段として機能させるための画像処理プログラムである。
【００２２】
請求項１６の発明は、コンピュータを、背景の色と該背景とマテリアルを重ねた場合の色の関係を記述する色変換係数を生成する色変換係数生成手段と、画像を構成する色データにその色変換係数を適用して、前記背景に前記マテリアルを重ねた色データを生成する色変換手段として機能させるための画像処理プログラムである。
【００２３】
請求項１７の発明は、コンピュータを、コンテンツを示すデータ、マテリアルを示すデータ、及び背景を示すデータを組み合わせて、該背景の該マテリアルに該コンテンツを記載した画像の色を操作する色操作手段として機能させるための画像処理プログラムである。
【００２４】
請求項１８の発明は、コンピュータを、マテリアルを示すデータのみから表面ベクトルデータを生成するベクトル生成手段と、前記表面ベクトルデータに光源を示すデータを組み合わせた表面反射データと、背景色に応じて生成したマテリアルの色を示すデータを統合する色データ統合手段として機能させるための画像処理プログラムである。
【００２５】
請求項１９の発明は、コンピュータを、マテリアルを示すデータのみから表面ベクトルデータを生成するベクトル生成手段と、前記表面ベクトルデータに光源を示すデータを組み合わせた表面反射データと、背景色に応じて生成したマテリアルの色を示すデータと該光源を示すデータを組み合わせた内部反射モデルによる内部散乱データを統合する色データ統合手段として機能させるための画像処理プログラムである。
【発明の効果】
【００２６】
請求項１の画像処理装置によれば、背景色を除いたマテリアルの画像を生成することができる。
【００２７】
請求項２の画像処理装置によれば、マテリアルの画像と任意の背景の画像を組み合わせることができる。
【００２８】
請求項３の画像処理装置によれば、マテリアルの画像と、背景を含まない背景色又は黒近傍の背景色とした画像を組み合わせることができる。
【００２９】
請求項４の画像処理装置によれば、マテリアルの画像に白近傍の背景色とした画像を組み合わせて、表示用の画像を生成することができる。
【００３０】
請求項５の画像処理装置によれば、陰影をつけた画像を生成することができる。
【００３１】
請求項６の画像処理装置によれば、色変換係数を用いて、マテリアルの画像と任意の背景の画像を組み合わせることができる。
【００３２】
請求項７の画像処理装置によれば、画像の統計的データに色変換係数を適用して、背景にマテリアルを重ねた色データを生成することができる。
【００３３】
請求項８の画像処理装置によれば、コンテンツを示すデータ、マテリアルを示すデータ、及び背景を示すデータを組み合わせて、背景のマテリアルにコンテンツを記載した画像を生成することができる。
【００３４】
請求項９の画像処理装置によれば、コンテンツを示すデータ、マテリアルを示すデータ、及び、背景を示す色データの順、又は、表面のコンテンツを示すデータ、表面のマテリアルを示すデータ、裏面のマテリアルを示すデータ、裏面のコンテンツを示すデータ、及び、背景を示す色データの順の組み合わせを扱うことができる。
【００３５】
請求項１０の画像処理装置によれば、画像データの周辺の色を、背景色とは異なる色、又は、無彩色とすることができる。
【００３６】
請求項１１の画像処理装置によれば、表面反射データと、マテリアルの色を示すデータを統合することができる。
【００３７】
請求項１２の画像処理装置によれば、表面ベクトルデータを用いてマテリアル上にあるコンテンツを推定した表面形状を適用した画像データに対して、表面反射データと、マテリアルの色を示すデータを統合することができる。
【００３８】
請求項１３の画像処理装置によれば、表面反射データと、背景色に応じて生成したマテリアルの色を示すデータと光源を示すデータを組み合わせた内部反射モデルによる内部散乱データを統合することができる。
【００３９】
請求項１４の画像処理装置によれば、表面ベクトルデータを用いてマテリアル上にあるコンテンツを推定した表面形状を適用した画像データに対して、表面反射データと、マテリアルの色を示すデータと内部散乱データを統合することができる。
【００４０】
請求項１５の画像処理プログラムによれば、背景色を除いたマテリアルの画像を生成することができる。
【００４１】
請求項１６の画像処理プログラムによれば、色変換係数を用いて、マテリアルの画像と任意の背景の画像を組み合わせることができる。
【００４２】
請求項１７の画像処理プログラムによれば、コンテンツを示すデータ、マテリアルを示すデータ、及び背景を示すデータを組み合わせて、背景のマテリアルにコンテンツを記載した画像を生成することができる。
【００４３】
請求項１８の画像処理プログラムによれば、表面反射データと、マテリアルの色を示すデータを統合することができる。
【００４４】
請求項１９の画像処理プログラムによれば、表面反射データと、背景色に応じて生成したマテリアルの色を示すデータと光源を示すデータを組み合わせた内部反射モデルによる内部散乱データを統合することができる。
【図面の簡単な説明】
【００４５】
【図１】第１の実施の形態の構成例についての概念的なモジュール構成図である。
【図２】第１の実施の形態を利用したシステム構成例を示す説明図である。
【図３】キャプチャの対象例を示す説明図である。
【図４】第１の実施の形態による処理例を示すフローチャートである。
【図５】背景の上にあるマテリアルのキャプチャ例を示す説明図である。
【図６】第１の実施の形態による処理例を示すフローチャートである。
【図７】第１の実施の形態による処理例を示す説明図である。
【図８】第１の実施の形態（画像生成モジュール）の構成例についての概念的なモジュール構成図である。
【図９】第１の実施の形態による処理例を示すフローチャートである。
【図１０】第２の実施の形態の構成例についての概念的なモジュール構成図である。
【図１１】本実施の形態を実現するコンピュータのハードウェア構成例を示すブロック図である。
【発明を実施するための形態】
【００４６】
以下、図面に基づき本発明を実現するにあたっての好適な各種の実施の形態の例を説明する。
＜＜第１の実施の形態＞＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００４７】
第１の実施の形態である画像処理装置１００は、マテリアルの画像を生成するものであって、図１の例に示すように、取得モジュール１０５、マテリアル画像生成モジュール１１０、画像生成モジュール１１５、出力モジュール１２０を有している。画像処理装置１００は、同一マテリアルの背景を変えて複数回キャプチャした画像を用いることで、背景を分離したマテリアル画像データを生成するものである。
【００４８】
図３は、キャプチャの対象例を示す説明図である。図３の例に示すように、キャプチャ装置３００（キャプチャ装置１２５に相当してもよい）がキャプチャする場合、コンテンツ画像３１０、マテリアル画像３２０、背景画像３３０が対象となる。ここでキャプチャとは、画像を読み取ることであり、キャプチャによって電子データが生成される。例えば、文書等が対象である場合、コンテンツ画像３１０は、その文書等に記載されている文字等のコンテンツ（記載内容）であり、マテリアル画像３２０は、そのコンテンツが記載されている用紙等のマテリアルであり、背景画像３３０は、そのマテリアルの背景（裏当て）である。つまり、コンテンツ画像３１０をキャプチャする際には、マテリアル画像３２０だけでなく、背景画像３３０の影響があることになる。逆に、複写機用スキャナを用いた場合では、「下地除去」や「裏面の裏写り制御」の処理が行われてしまう。この処理によって、背景とともに取得対象となるマテリアル画像も除去されることとなる。
「コンテンツ」には、文字（印刷文字、手書き文字を含む）だけでなく、図形、画像等を含めてもよい。
「マテリアル」とは、スキャナ等で読み込んだ対象物そのものである。対象物が印刷物である場合は、印刷が行われた媒体そのもの（一般的には、紙等）であり、透明シートに記載した絵柄である場合は、その透明シートが素材そのものである。例えば、木材、壁紙、布地など部材、素材などのことをいう。
「背景」とは、マテリアルの裏当てをいう。例えば、薄い紙である場合は、その紙の背景にある物が紙を通して見えることになる。したがって、人間が実際にコンテンツを見る場合、単にコンテンツのみを見るのではなく、裏当てがあるマテリアル上にあるコンテンツを見ることになっている。
例えば、プリンタを用いて印刷した場合、コンテンツ、マテリアル（この場合は、紙）、背景（ページ物では複数のマテリアル（紙）を重ねた場合もある）の３つの組み合わせを見ることになる。背景は、見る場合のシチュエーション（状態）で異なる。なお、コンピュータの液晶ディスプレイ等の表示装置で見る場合は、デジタル化されているのはコンテンツのみであるといってよく、デジタル化するためのキャプチャでは裏当てがないマテリアルだけを取得できない。したがって、例えば、液晶ディスプレイで見たコンテンツの印象と印刷後の実物（コンテンツ、マテリアル、背景の３つの組み合わせ）の印象は異なることがある。
【００４９】
キャプチャ装置１２５は、キャプチャ画像記憶モジュール１３０と接続されている。キャプチャ装置１２５は、同じマテリアルに対して背景を変更した画像を読み込む。例えば、スキャナ、カメラ等で画像を読み込むこと、ファックス等で通信回線を介して外部機器から画像を受信すること、ハードディスク（コンピュータに内蔵されているものの他に、ネットワークを介して接続されているもの等を含む）等に記憶されている画像を読み出すこと等が含まれる。
キャプチャ画像記憶モジュール１３０は、画像処理装置１００の取得モジュール１０５、キャプチャ装置１２５と接続されている。キャプチャ画像記憶モジュール１３０は、キャプチャ装置１２５によって読み込まれた画像（同じマテリアルに対して背景を変更した画像）を記憶しており、その画像を取得モジュール１０５に渡す。
取得モジュール１０５は、マテリアル画像生成モジュール１１０、キャプチャ画像記憶モジュール１３０と接続されている。取得モジュール１０５は、同じマテリアルに対して背景を変更した画像を複数取得する。ここで「取得」として、図１ではキャプチャ画像記憶モジュール１３０から取得する例を示しているが、他に、キャプチャ装置１２５と同様に、スキャナ、カメラ等で画像を読み込むことをしてもよい。
また、取得モジュール１０５は、背景が、均一の色である画像を取得するようにしてもよい。ここで「均一の色」とは、色の分散値が予め定められた閾値以下であることをいう。
また、取得モジュール１０５は、背景が、明るい裏当て又は暗い裏当てのいずれかを含むように取得するようにしてもよい。ここで「明るい裏当て」として、例えば、ＣＩＥ  Ｌ＊（Ｄ５０）明度Ｘ以上としてもよい。例えば、Ｘの値として、８０、９０等としてもよい。また、「暗い裏当て」として、例えば、ＣＩＥ  Ｌ＊（Ｄ５０）明度Ｙ以下としてもよい。例えば、Ｙの値として、２０、２５等としてもよい。
【００５０】
マテリアル画像生成モジュール１１０は、取得モジュール１０５、画像生成モジュール１１５と接続されている。マテリアル画像生成モジュール１１０は、取得モジュール１０５が取得した複数の画像を用いて、背景色を除いたマテリアルの画像を生成する。具体的には、マテリアル画像生成モジュール１１０は、複数の異なる背景（裏当て）色とその背景に同一マテリアルを重ねた色の関係付けた色変換係数を生成する。そして、その色変換係数を用いて、マテリアルの画像を生成する。
【００５１】
背景画像記憶モジュール１３５は、画像処理装置１００の画像生成モジュール１１５と接続されている。背景画像記憶モジュール１３５は、背景画像データを記憶している。
画像生成モジュール１１５は、マテリアル画像生成モジュール１１０、出力モジュール１２０、背景画像記憶モジュール１３５と接続されている。画像生成モジュール１１５は、マテリアル画像生成モジュール１１０によって生成されたマテリアルの画像と任意の背景の画像を組み合わせた画像を生成する。つまり、表示装置上でマテリアルの画像を表示する場合に、実際の背景の画像と組み合わせて見せることができるようになる。任意の背景の画像として、背景画像記憶モジュール１３５が記憶している画像を用いるようにしてもよい。
【００５２】
また、画像生成モジュール１１５は、背景の画像として、背景を含まない背景色又は黒近傍の背景色とした画像を用いるようにしてもよい。ここで「背景を含まない背景色」とは、キャプチャした画像がマテリアルそのもの又は類似したものであることをいう。具体的には、そのマテリアルの背後から照明を当てて撮影した場合の画像が該当する。ただし厳密には、透過画像と反射画像の差異があるが、色処理により透過画像から反射画像に近似して変換する場合を表す。なお、背景の画像として、「背景を含まない背景色の画像」又は「黒近傍の背景色とした画像」のいずれか一方を用いることになる。
また、画像生成モジュール１１５は、背景の画像として白近傍の背景色とした画像を用い、表示装置に対する表示用の画像を生成するようにしてもよい。
また、画像生成モジュール１１５は、少なくとも一方向の光源を当てて陰影をつけた画像を生成するようにしてもよい。
具体的に、画像生成モジュール１１５として、後述するように図８の例に示す構成としてもよい。
【００５３】
出力モジュール１２０は、画像生成モジュール１１５と接続されている。出力モジュール１２０は、画像生成モジュール１１５によって生成された画像を受け取り、その画像を出力する。画像を出力するとは、例えば、プリンタ等の印刷装置で印刷すること、ディスプレイ等の表示装置に表示すること、ファックス等の画像送信装置で画像を送信すること、画像データベース等の画像記憶装置へ画像を書き込むこと、メモリーカード等の記憶媒体に記憶すること、他の情報処理装置へ渡すこと等が含まれる。
【００５４】
図２は、第１の実施の形態を利用したシステム構成例を示す説明図である。
図２（ａ）に示す例は、スタンドアロン型の構成であり、画像入出力装置２００は、画像処理装置１００を有している。画像入出力装置２００は、同じマテリアルに対して背景を変更した画像を読み込む。そして、画像処理装置１００は、その画像からマテリアル画像を生成し、任意の背景の画像を組み合わせた画像を生成する。そして、画像入出力装置２００が、画像処理装置１００が生成した画像を出力する。
【００５５】
図２（ｂ）に示す例は、ネットワーク型の構成であり、画像処理装置１００、画像読取装置２１０、画像出力装置２２０、画像データベース２３０は、通信回線２９０を介してそれぞれ接続されている。通信回線２９０は、無線、有線、これらの組み合わせであってもよく、例えば、通信インフラとしてのインターネット、イントラネット等であってもよい。画像データベース２３０は、キャプチャ画像記憶モジュール１３０、背景画像記憶モジュール１３５を有している。また、画像処理装置１００、画像データベース２３０による機能は、クラウドサービスとして実現してもよい。画像処理装置１００は、画像読取装置２１０が読み込んだ画像（同じマテリアルに対して背景を変更した画像）、又は画像データベース２３０のキャプチャ画像記憶モジュール１３０内の画像を取得して、その画像からマテリアル画像を生成し、任意の背景の画像を組み合わせた画像を生成し、画像出力装置２２０に送信する。そして、画像出力装置２２０が、画像処理装置１００が生成した画像を出力する。なお、画像出力装置２２０は、ユーザーが使用するパーソナルコンピュータ等であってもよい。その場合は、液晶ディスプレイ等の表示装置に画像を表示する。
【００５６】
図４は、第１の実施の形態による処理例を示すフローチャートである。キャプチャ画像記憶モジュール１３０内に、同じマテリアルに対して背景を変更した画像を記憶させる処理例である。
ステップＳ４０２では、操作者は、マテリアルを用意する。
ステップＳ４０４では、操作者は、背景（ｉ）を用意する。ここで「ｉ」は変数であり、背景（ｉ）は、第ｉ番目の背景であることを示している。背景として、例えば、背景を含まない背景色、黒近傍の背景色とした画像がある。黒近傍の色として、黒色そのものの他に灰色等を含めてもよい。例えば、変数ｉの初期値を１とする。なお、背景として、前述したように、均一の色である背景であって、明るい裏当て（背景）又は暗い裏当て（背景）のいずれかを含むように用意している。
【００５７】
ステップＳ４０６では、キャプチャ装置１２５は、背景（ｉ）としたマテリアルをキャプチャする。ここで、背景として、背景を含まない背景色が選択された場合は、前述したように、マテリアルの背後から照明を当ててキャプチャして、背景を含まない画像を生成することになる。また、順番（変数ｉ）に合わせて、どの背景にするかを指定するメッセージを表示するようにしてもよい。これによって、背景とキャプチャ画像とを対応付けることができる。例えば、背景（１）である場合に、キャプチャ操作を行うユーザーに対して「マテリアルの背後から照明を当ててキャプチャする」旨のメッセージを表示するようにし、キャプチャ画像「１」と「背景を含まない背景色」を対応付けてもよい。また、背景（２）である場合に、キャプチャ操作を行うユーザーに対して「黒近傍の背景色としてマテリアルをキャプチャする」旨のメッセージを表示するようにし、キャプチャ画像「２」と「黒近傍の背景色」を対応付けてもよい。
【００５８】
ステップＳ４０８では、キャプチャ画像記憶モジュール１３０は、同一マテリアルのキャプチャ画像として記憶する。
ステップＳ４１０では、キャプチャ装置１２５は、ｉ＝ｉ＋１とする。つまり、背景を変更する。
ステップＳ４１２では、キャプチャ装置１２５は、終了か否かを判断し、終了の場合は処理を終了し（ステップＳ４９９）、それ以外の場合はステップＳ４０４へ戻る。
【００５９】
図５は、背景５１０の上にあるマテリアル５００のキャプチャ例を示す説明図である。ユーザーは、マテリアル５００と背景５１０を用意する。マテリアル５００は、画像を生成したマテリアルであり、例えば、和紙等の紙、布等があり、背景５１０は、黒近傍の色の用紙等がある。もちろんのことながら、マテリアル５００の裏側から照明するような場合（背景を含まない場合）は、背景５１０は省略されることになる。そして、キャプチャ装置１２５を操作して、キャプチャ画像５２０を生成する。
【００６０】
図６は、第１の実施の形態による処理例を示すフローチャートである。
ステップＳ６０２では、取得モジュール１０５は、同一のマテリアルを複数の背景でキャプチャした画像を取得する。
ステップＳ６０４では、マテリアル画像生成モジュール１１０は、マテリアル画像を生成する。ステップＳ６０４の詳細な処理については、図８の例に示す構成、図９の例に示すフローチャートを用いて後述する。
ステップＳ６０６では、画像生成モジュール１１５は、ステップＳ６０４で生成したマテリアル画像と背景画像記憶モジュール１３５内の背景画像を合成する。
ステップＳ６０８では、出力モジュール１２０は、合成した画像を出力する。
【００６１】
図７は、第１の実施の形態による処理例を示す説明図である。
図４の例に示す処理によって、マテリアル５００と背景５１０をキャプチャしたキャプチャ画像５２０とマテリアル５００と背景５１２をキャプチャしたキャプチャ画像５２２を取得する。マテリアル５００に対して、複数の背景（図７では、背景５１０、背景５１２）のキャプチャ画像（図７では、キャプチャ画像５２０、キャプチャ画像５２２）を取得している。背景５１０として、例えば、暗い裏当て（具体的には、黒近傍の色の用紙）等がある。背景５１２として、例えば、明るい裏当て（具体的には、白近傍の色の用紙）等がある。
そして、マテリアル５００のみの画像であるマテリアル画像７００を生成している。
【００６２】
図８は、第１の実施の形態（マテリアル画像生成モジュール１１０）の構成例についての概念的なモジュール構成図である。
マテリアル画像生成モジュール１１０は、色変換係数生成モジュール８１０、色変換モジュール８１５を有している。
色変換係数生成モジュール８１０は、色変換モジュール８１５と接続されている。色変換係数生成モジュール８１０は、背景の色とその背景とマテリアルを重ねた場合の色の関係を記述する色変換係数を生成する。
色変換モジュール８１５は、色変換係数生成モジュール８１０と接続されている。色変換モジュール８１５は、画像を構成する色データに、色変換係数生成モジュール８１０によって生成された色変換係数を適用して、マテリアルの画像を生成する。
また、色変換モジュール８１５は、画像の統計的データに色変換係数を適用して、背景にマテリアルを重ねた色データの統計的データを生成するようにしてもよい。ここで統計的データとは、複数のデータに対して統計的処理を施した値をいい、具体的には、平均値、中央値、最頻値等がある。例えば、画像の平均色データに色変換係数を適用して重ねた平均色データを生成する。
【００６３】
図９は、第１の実施の形態による処理例を示すフローチャートである。
ステップＳ９０２では、色変換係数生成モジュール８１０は、背景色とその背景色上にマテリアルを重ねた場合の色の関係を示す色変換係数を生成する。この色変換係数は、非線形である計数としてもよいし、又は、予め定められた値（ルックアップテーブルとして用意した値）としてもよい。また、背景色が黒と白の２つからなる色変換係数としてもよい。
ステップＳ９０４では、色変換モジュール８１５は、色変換係数を用いてマテリアル画像を生成する。
【００６４】
具体例を用いて、背景の寄与を除いたマテリアル画像の生成処理について説明する。１つのマテリアルに対して２回のキャプチャによって生成されたキャプチャ画像で作成する簡易な方法で説明する。
（１）取得モジュール１０５は、明るい背景（ＣＩＥ  Ｌ＊（Ｄ５０）明度９０以上）でのキャプチャ画像１、及び暗い背景（ＣＩＥ  Ｌ＊（Ｄ５０）明度２５以下）でのキャプチャ画像２のそれぞれの画像を取得する。
（２）次に、マテリアル画像生成モジュール１１０は、背景色と平均画像色から平均の色変換係数（入力値は背景色、出力値は画像色）を生成する。例えば、背景色は既知であり、その背景色を取得モジュール１０５が取得した画像の平均画像色に変換するための色変換係数を算出する。キャプチャ画像は複数あるので、色変換係数を算出できる。具体的には、ルックアップテーブル形式として、背景色と画像色を対応付けるようにすればよい。
（３）次に、マテリアル画像生成モジュール１１０は、キャプチャ画像１とキャプチャ画像２からの「マテリアル画像データ」と、「表示用画像データ」を生成する。
（４）次に、これらを用いて、画像生成モジュール１１５は、任意の背景色に対する「マテリアル表示用画像データ」を作成する。また、任意の照明からの光沢（つや）は「マテリアルベクトル画像データ」から生成して、対象色に加算すればよい。
ここで、マテリアル画像データに対して、演算用の色空間（リニアＲＧＢ、ＣＩＥＸＹＺなど）で処理することが好ましい。
【００６５】
＜＜第２の実施の形態＞＞
図１０は、第２の実施の形態の構成例についての概念的なモジュール構成図である。
画像処理装置１０００は、コンテンツデータとマテリアルデータと背景データを統合するものであって、取得モジュール１０５、マテリアル画像生成モジュール１１０、画像生成モジュール１１５、出力モジュール１２０、コンテンツデータ受付モジュール１０１５を有している。なお、第１の実施の形態と同種の部位には同一符号を付し重複した説明を省略する。
コンテンツデータ受付モジュール１０１５は、画像生成モジュール１１５と接続されている。コンテンツデータ受付モジュール１０１５は、統合対象となるコンテンツデータを受け付ける。
画像生成モジュール１１５は、マテリアル画像生成モジュール１１０、出力モジュール１２０、コンテンツデータ受付モジュール１０１５、背景画像記憶モジュール１３５と接続されている。画像生成モジュール１１５は、（１）コンテンツデータ受付モジュール１０１５が受け付けたコンテンツを示すデータ、（２）マテリアル画像生成モジュール１１０が生成したマテリアルを示すデータ、及び（３）背景を示すデータを組み合わせて、その背景のそのマテリアルにそのコンテンツを記載した画像の色を操作する。
また、画像生成モジュール１１５は、（１−１）コンテンツを示すデータ、（１−２）マテリアルを示すデータ、及び、（１−３）背景を示す色データの順、又は、裏面にもコンテンツがある場合には、（２−１）表面のコンテンツを示すデータ、（２−２）表面のマテリアルを示すデータ、（２−３）裏面のマテリアルを示すデータ、（２−４）裏面のコンテンツを示すデータ、及び、（２−５）背景を示す色データの順の組み合わせを扱うようにしてもよい。ここでは、視線の方向に近い順で、データを合成する。
また、画像生成モジュール１１５によって組み合わせた色データからなる画像データの周辺の色は、背景色とは異なる色、又は、無彩色としてもよい。また、背景を模様があるものとして、周辺の色を、背景色と同じ色として、周辺部分にも同じ模様を付加するようにしてもよい。このようにすることによって、その背景の上にマテリアルを置いた様子（背景の模様が透けて見える等）が確認できるようにしている。
【００６６】
また、マテリアルデータを利用する色処理として、以下（（Ａ）の処理又は（Ｂ）の処理のいずれか一方）のようにしてもよい。
（Ａ）画像生成モジュール１１５は、マテリアルを示すデータのみから表面ベクトルデータを生成する。「表面ベクトルデータ」として、例えば、光沢等を示すデータがある。
そして、画像生成モジュール１１５は、表面ベクトルデータに光源を示すデータを組み合わせた表面反射データと、背景色に応じて生成したマテリアルの色を示すデータを統合する。ここでの統合として、例えば、両者データの加算がある。つまり、コンテンツデータがなく、マテリアルデータのみでのＢＲＤＦ（Ｂｉｄｉｒｅｃｔｉｏｎａｌ  Ｒｅｆｌｅｃｔａｎｃｅ  Ｄｉｓｔｒｉｂｕｔｉｏｎ  Ｆｕｎｃｔｉｏｎ、光の反射モデルの１つである双方向反射率分布関数）モデルを用いたケースを示している。具体的には、αチャンネル値に応じて表面反射率に相当する反射率レートを求めて、既定の照明情報を含めたＢＲＤＦモデルの表面反射成分（例えば、Ｐｈｏｎｇの反射モデルや、Ｃｏｏｋ−Ｔｏｒｒａｎｃｅモデルなど）で生成した表面反射成分（ＸＹＺ２）を生成する。なお、表面反射成分は、ＸＹＺ色空間で生成する。なお、αチャンネル値は、取得モジュール１０５が取得した画像内に含まれているものを用いる。
また、画像生成モジュール１１５は、表面ベクトルデータを用いてマテリアル上にあるコンテンツを推定した表面形状を適用した画像データに対して、表面反射データと、マテリアルの色を示すデータを統合するようにしてもよい。つまり、コンテンツデータとマテリアルデータのみで、片面におけるＢＲＤＦ／ＢＳＳＲＤＦを用いたケースを示している。また、画像生成モジュール１１５は、背景色を、実際の背景色と裏面のマテリアルデータを用いて生成するようにしてもよい。つまり、コンテンツデータとマテリアルデータのみで、両面におけるＢＲＤＦ／ＢＳＳＲＤＦを用いたケースを示している。
【００６７】
（Ｂ）画像生成モジュール１１５は、マテリアルを示すデータのみから表面ベクトルデータを生成する。
そして、画像生成モジュール１１５は、表面ベクトルデータに光源を示すデータを組み合わせた表面反射データと、背景色に応じて生成したマテリアルの色を示すデータとその光源を示すデータを組み合わせた内部反射モデルによる内部散乱データを統合する。つまり、コンテンツデータがなく、マテリアルデータのみでのＢＳＳＲＤＦ（Ｂｉｄｉｒｅｃｔｉｏｎａｌ  Ｓｃａｔｔｅｒｉｎｇ  Ｓｕｒｆａｃｅ  Ｒｅｆｌｅｃｔａｎｃｅ  Ｄｉｓｔｒｉｂｕｔｉｏｎ  Ｆｕｎｃｔｉｏｎ、光の反射モデルの１つである双方向散乱面反射率分布関数）を用いたケースを示している。
また、画像生成モジュール１１５は、表面ベクトルデータを用いてマテリアル上にあるコンテンツを推定した表面形状を適用した画像データに対して、表面反射データと、マテリアルの色を示すデータと内部散乱データを統合するようにしてもよい。つまり、コンテンツデータとマテリアルデータのみで、片面におけるＢＲＤＦ／ＢＳＳＲＤＦを用いたケースを示している。また、画像生成モジュール１１５は、背景色を、実際の背景色と裏面のマテリアルデータを用いて生成するようにしてもよい。つまり、コンテンツデータとマテリアルデータのみで、両面におけるＢＲＤＦ／ＢＳＳＲＤＦを用いたケースを示している。
【００６８】
図１１を参照して、本実施の形態の画像処理装置のハードウェア構成例について説明する。図１１に示す構成は、例えばパーソナルコンピュータ（ＰＣ）等によって構成されるものであり、スキャナ等のデータ読み取り部１１１７と、プリンタ等のデータ出力部１１１８を備えたハードウェア構成例を示している。
【００６９】
ＣＰＵ（Ｃｅｎｔｒａｌ  Ｐｒｏｃｅｓｓｉｎｇ  Ｕｎｉｔ）１１０１は、前述の実施の形態において説明した各種のモジュール、すなわち、取得モジュール１０５、マテリアル画像生成モジュール１１０、画像生成モジュール１１５、出力モジュール１２０等の各モジュールの実行シーケンスを記述したコンピュータ・プログラムにしたがった処理を実行する制御部である。
【００７０】
ＲＯＭ（Ｒｅａｄ  Ｏｎｌｙ  Ｍｅｍｏｒｙ）１１０２は、ＣＰＵ１１０１が使用するプログラムや演算パラメータ等を格納する。ＲＡＭ（Ｒａｎｄｏｍ  Ａｃｃｅｓｓ  Ｍｅｍｏｒｙ）１１０３は、ＣＰＵ１１０１の実行において使用するプログラムや、その実行において適宜変化するパラメータ等を格納する。これらはＣＰＵバス等から構成されるホストバス１１０４により相互に接続されている。
【００７１】
ホストバス１１０４は、ブリッジ１１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１１０６に接続されている。
【００７２】
キーボード１１０８、マウス等のポインティングデバイス１１０９は、操作者により操作されるデバイスである。ディスプレイ１１１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１１０９とディスプレイ１１１０の両方の機能を備えているタッチスクリーン等であってもよい。その場合、キーボードの機能の実現について、キーボード１１０８のように物理的に接続しなくても、画面（タッチスクリーン）上にソフトウエアでキーボード（いわゆるソフトウェアキーボード、スクリーンキーボード等ともいわれる）を描画して、キーボードの機能を実現するようにしてもよい。
【００７３】
ＨＤＤ（Ｈａｒｄ  Ｄｉｓｋ  Ｄｒｉｖｅ）１１１１は、ハードディスク（フラッシュ・メモリ等であってもよい）を内蔵し、ハードディスクを駆動し、ＣＰＵ１１０１によって実行するプログラムや情報を記録又は再生させる。ハードディスクは、キャプチャ画像記憶モジュール１３０、背景画像記憶モジュール１３５等としての機能を実現させる。さらに、その他の各種データ、各種コンピュータ・プログラム等が格納される。
【００７４】
ドライブ１１１２は、装着されている磁気ディスク、光ディスク、光磁気ディスク、又は半導体メモリ等のリムーバブル記録媒体１１１３に記録されているデータ又はプログラムを読み出して、そのデータ又はプログラムを、インタフェース１１０７、外部バス１１０６、ブリッジ１１０５、及びホストバス１１０４を介して接続されているＲＡＭ１１０３に供給する。なお、リムーバブル記録媒体１１１３も、データ記録領域として利用可能である。
【００７５】
接続ポート１１１４は、外部接続機器１１１５を接続するポートであり、ＵＳＢ、ＩＥＥＥ１３９４等の接続部を持つ。接続ポート１１１４は、インタフェース１１０７、及び外部バス１１０６、ブリッジ１１０５、ホストバス１１０４等を介してＣＰＵ１１０１等に接続されている。通信部１１１６は、通信回線に接続され、外部とのデータ通信処理を実行する。データ読み取り部１１１７は、例えばスキャナであり、ドキュメントの読み取り処理を実行する。データ出力部１１１８は、例えばプリンタであり、ドキュメントデータの出力処理を実行する。
【００７６】
なお、図１１に示す画像処理装置のハードウェア構成は、１つの構成例を示すものであり、本実施の形態は、図１１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１１に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００７７】
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００７８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７９】
１００…画像処理装置
１０５…取得モジュール
１１０…マテリアル画像生成モジュール
１１５…画像生成モジュール
１２０…出力モジュール
１２５…キャプチャ装置
１３０…キャプチャ画像記憶モジュール
１３５…背景画像記憶モジュール
２００…画像入出力装置
２１０…画像読取装置
２２０…画像出力装置
２３０…画像データベース
２９０…通信回線
８１０…色変換係数生成モジュール
８１５…色変換モジュール
１０００…画像処理装置
１０１５…コンテンツデータ受付モジュール
【図１】
2018136654.tif 000003
【図２】
2018136654.tif 000004
【図３】
2018136654.tif 000005
【図４】
2018136654.tif 000006
【図５】
2018136654.tif 000007
【図６】
2018136654.tif 000008
【図７】
2018136654.tif 000009
【図８】
2018136654.tif 000010
【図９】
2018136654.tif 000011
【図１０】
2018136654.tif 000012
【図１１】
2018136654.tif 000013